(57)【要約】  【課題】縦書きと横書きの配置の変換指示と、フォント等の書式の変換支持を同時に行なうことにより操作性の良い変換を行なう。【解決手段】入力された文章を縦書き、または横書きで表示する文章表示手段と、入力された文章を記憶する記憶手段と、記憶手段に記憶された文章を縦書きで表示するか、横書きで表示するかを指示する指示手段を備え、前記指示手段により指示される表示方向に変換する変換手段を備える文書表示装置において、縦書き及び横書き表示時にそれぞれで書式を設定可能な書式設定手段を備え、前記変換手段で表示方向を変換すると同時に前記設定された書式に変換する書式変換手段を備える構成とする。【選択図】図１
2005157659.tif 000002
【特許請求の範囲】
【請求項１】
入力された文章を縦書き、または横書きで表示する文章表示手段と、入力された文章を記憶する記憶手段と、記憶手段に記憶された文章を縦書きで表示するか、横書きで表示するかを指示する指示手段を備え、前記指示手段により指示される表示方向に変換する変換手段を備える文書表示装置において、縦書き及び横書き表示時にそれぞれで書式を設定可能な書式設定手段を備え、前記変換手段で表示方向を変換すると同時に前記設定された書式に変換する書式変換手段を備えたことを特徴とする文書表示装置。
【請求項２】
前記書式は、フォント、フォントサイズ、スタイル、文字の色の少なくとも1つであることを特徴とする請求項1に記載の文書表示装置。
【発明の詳細な説明】
【技術分野】
【０００１】
本発明は、日本語ワードプロセッサや日本語による文書表示が可能なコンピュータなどの文書表示装置に関し、特に、入力された文字を縦書き、横書きに変換することが可能な文書表示装置に関する。
【背景技術】
【０００２】
従来、この種の文書表示装置においては、縦書き、横書きの配置方向を変換することが可能であった。（特許文献１）
また、フォントなどの書式を変換したいときには、文書全体あるいは変換したい箇所を指定して変換の指示を与えていた。
【特許文献１】特公平４−３００３７号公報
【発明の開示】
【発明が解決しようとする課題】
【０００３】
一般に、縦書きの文章作成時と、横書きの文章作成時には各配置方向で例えばフォントやフォントサイズを異ならせることにより文章の読み易さや訴求力を向上させるために、各配置方向で各書式を変更することが発生していた。しかしながら、従来の文書表示装置においては、縦書きと横書きの配置の変換指示と、フォント等の書式の変換支持がそれぞれ異なった指示手段にて行なう必要があったため、操作性が悪いという問題があった。
【０００４】
本発明は、上記の問題点に鑑み、操作性に優れる文書表示装置を提供することを目的とする。
【課題を解決するための手段】
【０００５】
上記目的を達成するために、本発明に係る発明は、入力された文章を縦書き、または横書きで表示する文章表示手段と、入力された文章を記憶する記憶手段と、記憶手段に記憶された文章を縦書きで表示するか、横書きで表示するかを指示する指示手段を備え、前記指示手段により指示される表示方向に変換する変換手段を備える文書表示装置において、縦書き及び横書き表示時にそれぞれで書式を設定可能な書式設定手段を備え、前記変換手段で表示方向を変換すると同時に前記設定された書式に変換する書式変換手段を有して成る構成としている。
【０００６】
なお、前記書式は、フォント、フォントサイズ、スタイル、文字の色の少なくとも1つであるとよい。
【発明の効果】
【０００７】
この発明によれば、縦書きや横書きの表示方向の変換に応じて、書式も同時に変換するようにしたので、縦書きや横書きに応じて書式の変換設定を行い直す必要がなく、入力がスムーズにできるようになり、本機能を使用することにより入力スピードの改善が図られる。
【発明を実施するための最良の形態】
【０００８】
図１は本発明に係る文書表示装置の一実施形態を示すブロック図である。図面に示すように、入力手段１１は仮名文字キーや数値キー、変換キー、あるいはファンクションキー等を備えたキーボードや、マウス等で構成され、各種の文字列や数字等を制御部１３に入力する。制御部１３は、ＣＰＵ，ＲＯＭ，ＲＡＭ，Ｉ／Ｏポート等からなるマイクロコンピュータによって構成され、ＲＯＭからなるプログラムメモリ（図示しない）に記憶されている制御プログラムにより、後述する各種のデータ処理を行う。また、縦書き用フォントや横書き用フォントも記憶されている。変換部１４は、前記制御プログラムにより動作し縦書き、横書きの変換を行なうもので従来の方法で行なわれる。
【０００９】
記憶手段１７は作成された文章や、文章を縦書きで表示する時と横書きで表示する時の書式情報等を記憶するハードディスク等で構成される。表示手段１５はＣＲＴディスプレイ装置や、ＬＣ（液晶）ディスプレイ装置、あるいはＥＬディスプレイ装置等から構成される。
【００１０】
次に、このような制御部１３の文書表示時の縦・横変換処理動作の内容を図２に示すフローチャートに従い説明する。まず、既存のワープロソフトやエディタソフトにて、作成された文書が表示されている。このとき通常表示されるツールバー内の書式タグをマウス等の入力手段１１で選択すると、書式に関する項目が表示される。この中から縦・横書き式の項目を選択すると（図３）、図４に示す縦・横書き書式設定画面４０が表示される（ステップＳ１）。この設定画面では、縦書き書式４１と横書き書式４２のそれぞれの書式が表示される。書式としては、ゴシック体や行書体等のフォント、フォントサイズ、斜体や太字等のスタイル、文字色等である。書式の変更がないときは、そのままで（ステップＳ２のＮＯ）、書式を変更したいときは、入力手段１１により変更する（ステップＳ２のＹＥＳ、ステップＳ３）。書式の設定が終了すると、縦書き、横書きの何れに変換するかを選択する（ステップＳ４）。この選択方法は、例えば縦書き書式４１の選択チェックボックス４１１と横書き書式４２の選択チェックボックス４２１を入力手段１１でいずれか一方を選択することにより行なわれる。
【００１１】
書式の設定、縦書きへの変換か、横書きへの変換かの設定が終了した後、変換を行ないたいときは入力手段１１によりＯＫキー４３を選択する（ステップＳ５のＹＥＳ）。変換を行ないたくないときは、キャンセルキー４４を選択する（ステップＳ５のＮＯ）。キャンセルキー４４を選択したときは、何もせずに終了する。
【００１２】
前記ＯＫキーが選択されたときは、前記縦・横書き書式設定画面４０で前記選択チェックボックス４１１、４１２で選択された書式に文書全体を変換手段１４で変換され表示手段１５に表示する（ステップＳ６）。このとき、例えばもともと横書きの文書であって、横書きの選択チェックボックス４１１が選択されているときは、文書方向はそのままで、前記縦・横書き書式設定画面４０で設定されたフォント、フォントサイズ、スタイル、色等が、もともとの文書と異なる場合は、前記縦・横書き書式設定画面４０で設定された書式に変換されて表示される。
【００１３】
前記変換時には、前記縦・横書き式設定画面４０で設定された書式が書式記憶部１９に上書きされる（ステップＳ７）。以後の書式選択時には、この保存された内容により前記縦・横書き式設定画面４０が表示される。
【図面の簡単な説明】
【００１４】
【図１】本発明の構成を示すブロック図である。
【図２】本発明の動作を示すフローチャートである。
【図３】ツールバーの書式選択時の図である。
【図４】縦・横書き書式設定画面の図である。
【符号の説明】
【００１５】
１１  入力手段
１３  制御部
１４  変換手段  
１５  表示手段
１７  記憶手段
１９  書式記憶部
４０  縦・横書き書式設定画面
【図１】
2005157659.tif 000003
【図２】
2005157659.tif 000004
【図３】
2005157659.tif 000005
【図４】
2005157659.tif 000006